(57)【特許請求の範囲】
【請求項１】
上カバー、およびその上カバーと合致する下カバーによって、制御素子を設置した基板が覆われているとともに、
前記下カバーと螺合するためのネジを保持可能なネジ保持部が、前記上カバーの端縁に切断可能に設けられた遊技機用制御装置であって、
前記ネジ保持部の内部あるいは下カバーに、貫通した前記ネジを正方向にのみ回転させるワンウェイクラッチ機構を利用したリング体が設けられており、前記ネジが、前記リング体を貫通した状態で前記下カバーと螺合するものであり、且つ、前記リング体が、貫通した前記ネジを逆方向に回転させた場合に、内蔵された複数のニードルを前記ネジの外周面に押し付けることによって、前記ネジの回転を規制するものであることを特徴とする遊技機用制御装置。
【請求項２】
請求項１に記載の遊技機用制御装置を設置したことを特徴とする遊技機。
【発明の詳細な説明】
【技術分野】
【０００１】
本発明は、パチンコ機、スロットマシーン等の遊技機、およびそれらの遊技機に用いる遊技機用制御装置に関するものである。
【背景技術】
【０００２】
遊技機の一種であるパチンコ機には、制御装置が設けられており、内部の基板上にＲＯＭやＣＰＵ等の制御素子が設置されている。かかる制御素子は、パチンコ機の作動内容を制御するものであるため、パチンコ機が遊技者にとって都合良く作動するように、不正に取り替えられたり不正に改造されたりすることがある。このため、かかる不正を防止するために、従来の遊技機用制御装置の中には、切断可能な複数のネジ保持部を左右両端縁に設けた上カバーと、その上カバーと合致する下カバーとによって、制御素子を設置した基板を覆うとともに、左右のネジ保持部の内の一つずつを、かしめネジ（基端部の外面に対して垂直な面と基端部の外面に対して緩やかに傾斜した面とを有するネジ突起を基端部に設けたもの）を用いて、ドライバ等では外れないように下カバーに螺着することにより、ネジ保持部を切断しなければ上カバーを取り外すことができないようにして、上カバーの取り外しの痕跡が残るように構成したものがある（特許文献１）。
【０００３】
【特許文献１】特開平１１−０００４４４号公報
【発明の開示】
【発明が解決しようとする課題】
【０００４】
しかしながら、上記特許文献１の遊技機用制御装置は、かしめネジのヘッドに電気ドリル等で孔をあけられると、それらの孔を利用してネジを回転させることが可能となってしまうため、ネジ保持部を切断することなく上カバーを取り外すことができてしまう。このため、近年では、制御素子の不正取り替え、不正改造を効果的に防止することができなくなっていた。
【０００５】
本発明の目的は、上記従来の遊技機用制御装置の問題点を解消し、制御素子の不正取り替え、不正改造を効果的に防止することが可能な遊技機用制御装置、およびそのような遊技機用制御装置を設置した遊技機を提供することにある。
【課題を解決するための手段】
【０００６】
本発明の内、請求項１に記載された発明は、上カバー、およびその上カバーと合致する下カバーによって、制御素子を設置した基板が覆われているとともに、前記下カバーと螺合するためのネジを保持可能なネジ保持部が、前記上カバーの端縁に切断可能に設けられた遊技機用制御装置であって、前記ネジ保持部の内部あるいは下カバーに、貫通した前記ネジを正方向にのみ回転させるワンウェイクラッチ機構を利用したリング体が設けられており、前記ネジが、前記リング体を貫通した状態で前記下カバーと螺合するものであり、且つ、前記リング体が、貫通した前記ネジを逆方向に回転させた場合に、内蔵された複数のニードルを前記ネジの外周面に押し付けることによって、前記ネジの回転を規制するものであることを特徴とするものである。
【０００８】
請求項２に記載された発明は、請求項１に記載の遊技機用制御装置を設置したことを特徴とする遊技機である。
【発明の効果】
【０００９】
請求項１に記載された遊技機用制御装置は、ワンウェイクラッチ機構を利用したリング体がネジの正方向への回転のみを許容するものであるため、電気ドリル等を利用して無理矢理にネジを逆方向に回転させることができないので、取付片を切断することなく上カバーが不正に取り外される事態を効果的に防止することができる。したがって、請求項１に記載された発明の制御装置によれば、制御素子の不正取り替え、不正改造を効果的に防止することができる。
また、リング体が、内蔵された複数のニードルをネジの外周面に押し付けることによってネジの逆回転を規制するものであるため、ネジの逆回転が確実に防止されるので、取付片を切断することなく上カバーが不正に取り外されて制御素子が不正に取り替えられたり不正に改造されたりする事態をより効果的に防止することができる。
【００１１】
請求項２に記載された遊技機によれば、制御装置に搭載された制御素子の不正取り替え、不正改造を効果的に防止することが可能となる。
【発明を実施するための最良の形態】
【００１２】
以下、本発明の遊技機用制御装置（以下、単に制御装置という）について、図面に基づいて詳細に説明する。図１は、制御装置１の正面図であり、図２は、図１におけるＡ−Ａ線断面を示す説明図である（なお、図２（ｂ）は、図２（ａ）の一部を拡大して示したものである）。制御装置１は、ＲＯＭ８やＣＰＵ等の種々の制御素子を搭載した基板４、透明な合成樹脂製の上カバー６および下カバー５等によって構成されている。
【００１３】
上カバー６は、幅広な箱形に形成されており、左右両サイドに、縦長な長方形状の外形（正面から見た場合の外形）を有する上固着翼１６，１６が設けられている。各上固着翼１６，１６の上端縁には、それぞれ、係止孔１２が穿設されている。さらに、各係止孔１２，１２の下方には、それぞれ、略円筒状の４個のネジ保持部９，９・・が、左右に位置した切断可能な取付片１０，１０によって、各上固着翼１６，１６の前面に一体的に連設されており、上固着翼１６の前面板から後方に突出した状態になっている。
【００１４】
また、図２の如く、各ネジ保持部９，９・・の略中央には、仕切板３５が形成されており、仕切板３５の中央には、ネジ挿通孔１８が穿設されている。さらに、仕切板３５の裏側には、２つの弾性片２８，２８が後方に突出するように設けられている。一方、仕切板３５の表面側には、扁平な円柱状のリング体１５が、中央に設けられた貫通孔２４をネジ挿通孔１８に重ね合わせた状態で、接着剤によって接着されている。さらに、ネジ１３が、リング体１５の貫通孔２４および仕切板３５のネジ挿通孔１８に挿通され、弾性片２８，２８によって先端を把持された状態で保持されている。
【００１５】
図３は、ネジ１３を貫通させた状態のリング体１５の正面図である。ネジ１３は、長尺な略円柱状の軸部４３の基端に、幅広な円盤状のヘッド部４１を一体的に設けた形状を有している。また、軸部４３の先端側には、その他の部分より径の小さな小径部４８が形成されており、当該小径部４８の先端際の外周には、下カバー５と螺合させるためのネジ溝４２が周設されている（なお、当該ネジ溝４２の外径と小径部４８以外の軸部４３の外径が略同一になっている）。一方、ヘッド部４１の外面の中央には、ドライバーの先端に嵌合させるためのネジ溝３９が形成されている。
【００１６】
また、図４は、リング体１５の水平断面図（図３におけるＡ−Ａ線断面図）であり、図５は、リング体１５の分解斜視図である。リング体１５は、ハウジングとして機能する外カバー２１と、外カバー２１の内側に組み込むためのコア２２と、外カバー２１の下蓋として機能するキャップ２３と、ネジ１３を片方向にのみ回転させるためのストッパーとして機能する複数のニードル３１，３１・・と、それらのニードル３１，３１・・を付勢するためのバネ部材５３とによって構成されている。
【００１７】
外カバー２１は、円筒状の円筒部２５の基端側に閉塞部２６を一体的に設けたものであり、円筒部２５の内側には、コア２２を固定するための複数の凸部２７，２７・・が形成されている。また、閉塞部２６の中央には、ネジ１３の軸部４３を挿通させるための貫通孔２４ａが中央に穿設されている。
【００１８】
コア２２は、扁平な円筒状に形成されており、外周には、外カバー２１の凸部２７と噛合する複数の凹部２９，２９・・が形成されている。さらに、コア２２の中心には、ネジ１３の軸部４３を挿通させるための貫通孔２４ｂが穿設されている。そして、その貫通孔２４ｂの周囲には、ニードル３１を挿入するための複数のニードル孔３２，３２・・が設けられており、それらのニードル孔３２，３２・・と隣り合うように、バネ部材５３の先端のバネ部５５を挿入するための複数のバネ孔５４，５４・・が設けられている。図４の如く、各ニードル孔３２，３２・・の傾斜面３７は、バネ孔５４に近い側から遠ざかるにつれて、貫通孔２４ｂに挿通した軸部４３（図４における円形の波線部分）の外周面からの距離が短くなるように傾斜した状態になっている。すなわち、傾斜面３７のバネ孔５４に近い側の部分は、軸部４３の外周面からの距離がニードル３１の直径よりも長くなっており、傾斜面３７のバネ孔５４から遠い側の部分は、軸部４３の外周面からの距離がニードル３１の直径よりも短くなっている。そして、傾斜面３７と軸部４３の外周とによって、くさび状の挟持部（図４における斜線部Ｇ）が形成されるようになっている。
【００１９】
バネ部材５３は、金属板によって一体的に形成されており、軸部４３を挿通させるための貫通孔２４ｃを中央に穿設した環状の連結部５６の表面に、先端を略Ｕ字状に屈曲させた複数のバネ部５５，５５・・が等間隔に突設されている。また、キャップ２３は、円盤状に形成されており、軸部１４を挿通させるための貫通孔２４ｄが中央に穿設されている。さらに、表面には、外カバー２１に嵌め込むための突起部４４が形成されている。
【００２０】
リング体１５は、コア２２のニードル孔３２，３２・・、バネ孔５４，５４・・に、それぞれ、ニードル３１，３１・・、バネ部材５３のバネ部５５，５５・・を組み込み（バネ部材５３の連結部５６がコア２２の先端側に位置するように組み込み）、当該コア２２を、外カバー２１の内部に嵌め込み（コア２２の外周の凹部２９，２９・・に外カバー２１の円筒部２５の内周の凸部２７，２７を嵌合させるようにして嵌め込み）、外カバー２１の先端側に、キャップ２３の突起部４４を嵌合させて、当該キャップ２３を固着させることによって一体的に組み付けられている。そして、  外カバー２１の貫通孔２４ａ、コア２２の貫通孔２４ｂ、バネ部材５３の貫通孔２４ｃ、キャップ２３の貫通孔２４ｄによって貫通孔２４が形成された状態になっている。
【００２１】
当該貫通孔２４にネジ１３を貫通させたリング体１５においては、ネジ溝３９を利用してドライバーによってネジ１３を時計回り（図４におけるＸ方向）に回転させた場合には、ネジの軸部４３と接触している各ニードル３１，３１・・が、軸部４３との摩擦力によって、バネ部材５３の付勢力に抗して、傾斜面３７と軸部４３の外周とで形成される挟持部Ｇの拘束から外れて、ニードル孔３２内でバネ孔５４に近づく方向へ押し出される。各ニードル孔３２，３２・・においては、上述の如く、バネ孔５４に近い側の周壁と軸部４３との距離がニードル３１の直径よりも大きくなっているので、各ニードル３１，３１・・は、ニードル孔３２内でバネ孔５４に近づく方向へ押し出されると、軸部４３と接触しない状態を保つことが可能となる。したがって、コア２２の貫通孔２４ｂ内で軸部４３が回転可能となるため、軸部４３の先端のネジ溝４２を下カバー５のネジ係合体２０に螺合させることができる。
【００２２】
一方、ネジ１３を反時計回り（図４におけるＹ方向）に回転させた場合には、ネジ１３の軸部４３と接触している各ニードル３１，３１・・が、軸部４３との摩擦力およびバネ部材５３の付勢力によって、ニードル孔３２内でバネ孔５４から離れる方向（すなわち、ニードル孔３２の端面３８の方向）へ押し出される。そして、押し出された各ニードル３１，３１・・は、くさび状の挟持部Ｇに挟み込まれて固定される。そのようにニードル３１，３１・・が挟持部Ｇに挟持されると、各ニードル３１，３１・・の軸部４３に対する押圧力が増大し、コア２２の貫通孔２４ｂ内で軸部４３が回転できなくなる。上記の如き機構により、ネジ１３を貫通させたリング体１５においては、ネジ１３を時計回りに回転させた場合には、ネジ１３を回転させることができ、ネジ１３を反時計回りに回転させた場合には、ネジ１３を回転させることができない。
【００２３】
また、図１、図２の如く、下カバー５は、上カバー６と同一幅に形成されており、左右両サイドに、上カバー６の各上固着翼１６，１６と同様な縦長の長方形状の外形（正面から見た場合の外形）を有する下固着翼１７，１７が連設されている。そして、各下固着翼１７，１７の上端縁には、それぞれ、先端を矢尻状に形成した係止突片１１が突設されている。また、図６は、各下固着翼１７の正面（一部）を示したものであり、各下固着翼１７，１７の上カバー６の各ネジ保持部９，９・・と対応する位置には、ネジ孔３６を穿設してなるネジ係合体２０，２０・・が、支持アーム３３，３３および支持リブ３４，３４によって左右の壁板１９，１９等に支持された状態で設けられている。
【００２４】
制御装置１は、基板４を下カバー５の内面に螺着した状態で、上カバー６の各上固着翼１６，１６を下カバー５の各下固着翼１７，１７の前方に重ね合わせ、各係止突片１１，１１を各係止孔１２，１２に係止させた状態で、左側の最上方のネジ保持部９（「１」を付したネジ保持部９）に保持されたネジ１３を時計回りに回転させることによって左側の最上方のネジ係合体２０に螺着するとともに、右側の最下方のネジ保持部９（「１」を付したネジ保持部９）に保持されたネジ１３を時計回りに回転させることによって右側の最下方のネジ係合体２０に螺着することによって、組み立てられている。そして、ＲＯＭ８やＣＰＵ等の種々の制御素子を搭載した基板４が、上カバー６および下カバー５によって覆われた状態になっている（なお、図１の如く、基板４は、上側の一部のみ露出した状態になっている）。
【００２５】
上記の如く構成された制御装置１は、図７の如く、パチンコ機７１の裏面側の機構板７２等に設置された状態で使用される。そして、搭載されたＲＯＭ８やＣＰＵ等の種々の制御素子によって、パチンコ機７１の作動内容を制御する。
【００２６】
また、制御装置１は、上カバー６のネジ保持部９，９と下カバー５のネジ係合体２０，２０とが、リング体１５を挿通したネジ１３，１３によって螺着されているため、リング体１５のワンウェイクラッチ機構により、ネジ１３を螺着時と反対方向（反時計回り）に回転させることができない。それゆえ、上カバー６を取り外す場合には、ネジ係合体２０，２０と螺着したネジ保持部９，９の前方に設けられた２つの取付片１０，１０・・を、ニッパ等の工具で切断し、かかるネジ保持部９，９を上カバー６から切り離すことによって、上カバー６と下カバー５とを分離しなければならない。
【００２７】
また、再度 上カバー６を下カバー５に合着させる場合には、左側の最上方のネジ係合体２０および右側の最下方のネジ保持部９以外のネジ保持部９，９（すなわち、未だネジ係合体２０と螺着していない同じ番号を付したネジ保持部９，９同士）を、それぞれ、ネジ１３，１３により同位置のネジ係合体２０，２０と螺着すれば良い。それゆえ、一旦、上カバー６と下カバー５とを分離した後でも、再度、上カバー６を下カバー５に合着させることができ、そのような上カバー６、下カバー５の分離、合着を４回繰り返すことができる。
【００２８】
制御装置１は、上記の如く、上カバー６を下カバー５と分離するためには、取付片１０，１０・・を切断することによりネジ係合体２０，２０と螺着されたネジ保持部９，９を上カバー６から切り離さなければならないため、上カバー６が取り外された場合には、必ずその痕跡が残る。それゆえ、上カバー６の開閉の有無を容易に把握することができる。それにも拘わらず、各取付片１０，１０が容易に切断可能な構造を有しているため、それらの取付片１０，１０をニッパ等の工具で切断することによって、上カバー６を容易に取り外して、基板４上に設置されたＲＯＭ８等の制御素子の内容をチェックすることができる。
【００２９】
その上、制御装置１は、ワンウェイクラッチ機構を利用したリング体１５がネジ１３の正方向への回転のみを許容するものであるため、電気ドリル等を利用して無理矢理にネジ１３を逆方向に回転させることができないので、取付片１０，１０・・を切断することなく上カバー６が不正に取り外される事態を効果的に防止することができる。したがって、制御装置１によれば、ＲＯＭ８等の制御素子の不正取り替え、不正改造を効果的に防止することができる。
【００３０】
また、制御装置１は、リング体１５が、内蔵された複数のニードル３１，３１・・をネジ１３の外周面に押し付けることによってネジ１３の逆回転を規制するものであるため、ネジ１３の逆回転が確実に防止されるので、取付片１０，１０・・を切断することなく上カバー６が不正に取り外されてＲＯＭ８等の制御素子が不正に取り替えられたり不正に改造されたりする事態をより効果的に防止することができる。
【００３１】
なお、本発明の制御装置は、上記実施形態の態様に何ら限定されるものではなく、基板、上カバー、下カバー、ネジ、リング体等の形状、構造等の構成を本発明の趣旨を逸脱しない範囲内で適宜変更することができる。
【００３２】
たとえば、上カバーの各上固着翼に設けるネジ保持部の個数や、下カバーの左右の各下固着翼に設ける取付タブの個数は、４個に限定されず、３個以下あるいは５個以上でも良い。また、各上固着翼とネジ保持部とを連結する取付片の個数も、２個に限定されず、１個でも良いし、３個以上でも良い。さらに、上固着翼や下固着翼の設置位置は、上下カバーの左右両端縁に限定されず、上下カバーの上下両端縁でも良い。
【００３３】
また、ネジは、上記実施形態の如く、先端が平坦なネジに限定されず、先端の尖った木ネジ等の他の形状を有するものでも良い。さらに、上記実施形態の如く、先端に小径部を形成したものに限定されず、軸部全体が同一径のものでも良い。
【００３４】
一方、リング体は、上記実施形態の如く、内蔵された複数のニードルを軸部に押し付けるワンウェイクラッチ機構を利用したものに限定されず、別のワンウェイクラッチ機構を利用したものに変更することも可能である。加えて、リング体は、基端側を二つ折りした形状のバネをニードル付勢用のバネとして用いたものに限定されず、軸部の長手方向に沿って山折り線と谷折り線とを連続させた形状のバネをニードル付勢用のバネとして用いたもの等でも良い。また、ネジの軸部を固定するためのニードルの個数は７個に限定されず、６個以下や８個以上に変更することも可能である。さらに、リング体の外カバーやコアは、一体的に設けられたものに限定されず、複数の部材を組み付けることによって構成されるものに変更することも可能である。
【００３５】
また、リング体のネジ保持部への設置方法は、上記実施形態の如く、ネジ保持部の仕切板（底板）にリング体を接着する方法に限定されず、図８の如く、上カバー５を成形する際にネジ保持部９への仕切板３５内に一体的に埋設する方法等に変更することも可能である。さらに、図９の如く、リング体１５の裏面に係合突起６４，６４・・（あるいは係合凹部）を設けるとともに、ネジ保持部９の仕切板３５の表面に係合凹部６５，６５・・（あるいは係合突起）を設けて両者を係合させる方法や、図１０の如く、ネジ保持部９の仕切板３５にリング体１５を嵌め込むための扁平な円柱状の嵌入凹部６１を設けるとともに、その嵌入凹部６１に係合凹部６２，６２（あるいは係合突起）を設け、かつ、リング体１５の外周に係合突起６３，６３（あるいは係合凹部）を設けて、嵌入凹部６１内にリング体１５を嵌め込んだ状態で仕切板３５と係合させる方法等を採用することも可能である。
【００３６】
加えて、上記の如く、ネジ保持部の仕切板にリング体を嵌め込むための扁平な円柱状の嵌入凹部を設けて、その嵌入凹部内にリング体を係止させる場合には、リング体は、上記実施形態の如く、扁平な円柱状に形成されたものに限定されず、ハウジング（外カバー、キャップ等）の形状を、楕円柱状や、三角柱、四角柱等の角柱状等に変更することも可能である。また、そのようにリング体のハウジングの形状を変更する場合には、リング体のハウジングの形状に合わせて、嵌入凹部の形状を変更する必要がある。図１１は、リング体１５および嵌入凹部６１の形状を扁平な四角柱状にした変更例を示したものであるが、このようにリング体の形状を、楕円柱状や角柱状にした場合には、リング体や嵌入凹部に係合突起や係合凹部を設けることなくリング体をネジ保持部内に固定することができる、というメリットがある。
【００３７】
加えて、上記実施形態の如く、リング体をネジ保持部（仕切板）に接着する場合には、接着剤の種類は特に限定されず、熱可塑性樹脂系接着剤、熱硬化性樹脂系接着剤、エラストマー系接着剤等の有機系接着剤や、各種の無機系接着剤、あるいはそれらの混合物等を、ネジ保持部の材質等に応じて適宜選択して用いることができる。また、リング体をネジ保持部に溶着する方法を採用することも可能である。かかる場合には、溶剤による溶着、超音波による溶着、加熱による溶着等の各種の溶着方法を採用することができる。なお、そのようにリング体をネジ保持部（仕切板）に溶着する場合には、リング体の材質をネジ保持部の仕切板の材質と同じもの、あるいは類似したものにすると、リング体とネジ保持部との溶着強度がきわめて高いものとなるので好ましい。
【００３８】
また、本発明の制御装置は、上カバーのネジ保持部にリング体を設けたものに限定されず、下カバーのネジ保持部との接合位置にリング体を設けたものに変更することも可能である。そのように下カバーのネジ保持部との接合位置にリング体を設ける場合には、リング体を下カバーに固定する必要があるが、固定方法としては、ネジ保持部内にリング体を設ける場合と同様に、図１２の如く、下カバー５の表面（ネジ保持部９との接合位置）に嵌入凹部６７を設けてその嵌入凹部６７内にリング体１５を接着する方法の他、下カバーを成形する際にリング体を一体的に埋設する方法、下カバーの表面にリング体を嵌め込むため嵌入凹部を設けるとともに、その嵌入凹部の側面あるいは底面に係合凹部（あるいは係合突起）を設け、かつ、リング体の外周面あるいは先端面に係合突起（あるいは係合凹部）を設ける方法等を採用することができる。加えて、ネジ保持部内にリング体を設ける場合と同様に、リング体のハウジング（外カバー、キャップ等）の形状を、楕円柱状や角柱状とし、下カバーの嵌入凹部の形状をリング体のハウジングの形状に合致させることも可能である。
【００３９】
加えて、上記実施形態の如く、リング体をネジ保持部（仕切板）あるいは下カバーに接着する場合には、接着剤の種類は特に限定されず、熱可塑性樹脂系接着剤、熱硬化性樹脂系接着剤、エラストマー系接着剤等の有機系接着剤や、各種の無機系接着剤、あるいはそれらの混合物等を、ネジ保持部の材質等に応じて適宜選択して用いることができる。また、リング体をネジ保持部あるいは下カバーに溶着する方法を採用することも可能である。かかる場合には、溶剤による溶着、超音波による溶着、加熱による溶着等の各種の溶着方法を採用することができる。なお、そのようにリング体をネジ保持部（仕切板）あるいは下カバーに溶着する場合には、リング体の材質をネジ保持部の仕切板あるいは下カバーの材質と同じもの、あるいは類似したものにすると、リング体とネジ保持部あるいは下カバーとの溶着強度がきわめて高いものとなるので好ましい。
【００４０】
なお、上記実施形態においてはパチンコ機に使用される制御装置について説明したが、本発明の制御装置が使用される遊技機は、スロットマシーンやテレビゲーム等のパチンコ機以外の遊技機でも良い。
【図面の簡単な説明】
【００４１】
【図１】制御装置の正面図である。
【図２】図１におけるＡ−Ａ線断面を示す説明図である（ｂはａにおける波線部分の拡大図である）。
【図３】ネジを挿通させたリング体の正面図である。
【図４】リング体の断面図（図３におけるＡ−Ａ線断面図）である。
【図５】リング体を一部切り欠いて示す分解斜視図である。
【図６】下カバーの下固着翼の正面（一部）を示す説明図である。
【図７】制御装置を設置したパチンコ機の背面図である。
【図８】リング体の設置態様の変更例を示す説明図（図１におけるＡ−Ａ線断面図）である。
【図９】リング体の設置態様の変更例を示す説明図（ｂはａにおけるＡ−Ａ線断面図）である。
【図１０】リング体の設置態様の変更例を示す説明図（ｂはａにおけるＡ−Ａ線断面図）である。
【図１１】リング体の設置態様の変更例を示す説明図（ｂはａにおけるＡ−Ａ線断面図）である。
【図１２】リング体の設置態様の変更例を示す説明図（図１におけるＡ−Ａ線断面図）である。
【符号の説明】
【００４２】
１・・制御装置
４ａ，４ｂ・・基板
５・・下カバー
６・・上カバー
８・・制御素子  
９・・ネジ保持部
１３・・ネジ
１５・・リング体
３１・・ニードル
７１・・パチンコ機
【図１】
0005098104.tif 000002
【図２】
0005098104.tif 000003
【図３】
0005098104.tif 000004
【図４】
0005098104.tif 000005
【図５】
0005098104.tif 000006
【図６】
0005098104.tif 000007
【図７】
0005098104.tif 000008
【図８】
0005098104.tif 000009
【図９】
0005098104.tif 000010
【図１０】
0005098104.tif 000011
【図１１】
0005098104.tif 000012
【図１２】
0005098104.tif 000013